(57)【要約】      （修正有）【課題】簡単な構造で、祝意などを動画として連続して視認して楽しむことができ、印象が強く、強烈に記憶に残る効果の期待できるグリーティングカードを提供する。【解決手段】偏平箱状のカード本体１の一面に開口２を形成し、前記カード本体に、絵柄・文字・記号などの所望の装飾を一連に表した帯状装飾片３を前記開口内側に沿って移動可能に内蔵した。【選択図】図５
0003119930.tif 000002
【実用新案登録請求の範囲】
【請求項１】
偏平箱状のカード本体の一面に開口を形成し、前記カード本体に、絵柄・文字・記号などの所望の装飾を一連に表した帯状装飾片を前記開口内側に沿って移動可能に内蔵したことを特徴とするグリーティングカード。
【請求項２】
帯状装飾片の基材が透明である請求項１に記載のグリーティングカード。
【請求項３】
帯状装飾片がエンドレス状をなし、カード本体内に配したガイド手段材の周りで移動可能となっている請求項1または２に記載のグリーティングカード。
【請求項４】
ガイド手段がエンドレス状の帯状装飾片のターン部に位置する軸状体である請求項３に記載のグリーティングカード。
【請求項５】
ガイド手段が偏平状の盤である請求項３に記載のグリーティングカード。
【請求項６】
カード本体の側部に帯状装飾片を露出する操作用窓が形成されている請求項１ないし５のいずれかに記載のグリーティングカード。
【考案の詳細な説明】
【技術分野】
【０００１】
本考案はグリーティングカードに関する。
【背景技術】
【０００２】
クリスマス、年賀、暑中見舞いなどの時候の挨拶や、誕生、結婚、入学、卒業などの慶事などを祝す手段として、グリーティングカードが汎用されている。
【０００３】
かかるグリーティングカードは、通常、カード本体に祝意などを印刷的手法で表わしたものが多いが、製作が容易である反面、構造が単純でありきたりなものであるため、カードの贈呈を受けた側にとって印象が弱い難点があった。
こうしたことから、内部に飾り片を配したカード本体を二つ折り状などとし、展開時に飾り片が立ち上がるなどのいわゆるポップアップ型タイプのものが知られている。
この種のタイプは、前記飾り片によりそれなりの美しさと意外性があるが、カードを開くことで内部に配されている飾り片にわずかに動くだけで、カード展開後は静的となってしまうので変化に乏しく、興趣が薄れやすいという問題があった。
【考案の開示】
【考案が解決しようとする課題】
【０００４】
本考案は前記のような問題点を解消するためになされたもので、その目的とするところは、簡単な構造で、祝意などを動画として連続して視認して楽しむことができ、印象が強く、強烈に記憶に残る効果を期待できるグリーティングカードを提供することにある。
【課題を解決するための手段】
【０００５】
上記目的を達成するため本考案は、偏平箱状のカード本体の一面に開口を形成し、前記カード本体に、絵柄・文字・記号などの所望の装飾を一連に表した帯状装飾片を前記開口内側に沿って移動可能に内蔵したことを特徴としている。
【考案の効果】
【０００６】
本考案によるときには、帯状装飾片を移動させると、前記帯状装飾片の表面に一連に表わされている多彩な装飾が次から次へと前記開口部分に連続して出現し消えていくため、何が表れるか興味深く、メッセージなどを動画のように楽しむことができ、このため強いインパクトを与え、祝意や贈呈者を受贈者の記憶に残させることができ、しかも構造が簡単であるので、商品価値の高いグリーティングカードとすることができる。
【考案を実施するための最良の形態】
【０００７】
前記帯状装飾片の基材が透明である。
これによれば、帯状装飾片の背面側が透視されるので、背面側に背景装飾(加飾)を施しておけば、この背景装飾も帯状装飾片の透明部分を通して視認され、立体的で、奥行き感のある情景を楽しむことができる。
【０００８】
前記帯状装飾片がエンドレス状をなし、カード本体内に配したガイド手段の周りで移動可能となっている。
これによれば、帯状装飾片の形状を安定して保持しつつ容易に連続的にスライドさせ、帯状装飾片に表されている装飾を循環して楽しむことができる。
【０００９】
前記ガイド手段がエンドレス状の帯状装飾片のターン部に位置する軸状体である。
これによれば、帯状装飾片との接触面積が少ないので帯状装飾片が動きやすく、軸状体を回すことでエンドレス状の帯状装飾片を軽快に連続的にスライドさせることができる。
【００１０】
ガイド手段が偏平状の盤である。
これによれば、エンドレス状の帯状装飾片の芯としても機能するので安定したガイドを行え、また、表面に装飾を施すことにより、帯状装飾片が透明である場合に背景機能も果たすことができ、立体的で、奥行き感のある情景を楽しむことができる。
【００１１】
前記カード本体の側部に帯状装飾片を露出する操作用窓が形成されている。
これによれば、開口に手指を位置させて帯状装飾片を動かさずにすむので、開口を通して装飾をフルに眺めながら帯状装飾片を容易にスライド操作することができる。
【実施例１】
【００１２】
以下、添付図面を参照して本考案の実施例を説明する。
図１ないし図８は本考案によるグリーティングカードを暑中見舞いに適用した第１実施例を示している。
１は内部に空間を有する偏平箱状のカード本体であり、前面部１ａと、これの上下左右の各両側縁から屈曲した側面部１ｂ、１ｂ、１ｂ、１ｂと、これらにつながり前記前面部と対峙する後面部１ｃとを備えている。前記各面部は、いずれも適度な腰のある材料、たとえば紙、合成樹脂シート、ラミネートシートなどからなっている。
【００１３】
前記前面部１ａには所要の大きさと形状の開口（窓孔）２が形成されており、前記開口２以外の領域には、所望の加飾部１０が印刷的手法などで施されている。この例では、「HAVE A NICE SUMMER」なる標記が開口の上側に施され、これと離間した部分には、海中で生活する海草やヒトデ、魚などの図柄が表されている。
【００１４】
前記後面部１ｃには、図２のように、メッセージあるいは送り主名などを記入するための記載用部１１が設けられ、これを囲むようにイルカ、カニ、海草などの海中生物を表わした加飾部１２が印刷的手法などにより施されている。
【００１５】
３は前記カード本体１の空間に内蔵された帯状装飾片であり、前記開口２を通して露出されつつ前面部内側に沿って左右移動可能となっている。
帯状装飾片３は、適度な腰のある基材３０、たとえば紙、合成樹脂フィルム、ラミネートシートなどで作られている。そして、帯状装飾片３は前記開口２の縦幅以上の寸法と横幅を超える寸法を有しており、開口から視認される範囲で全長にわたって、所望の絵柄、模様、図形、文字、記号などの任意のものを組み合わせた多数の装飾部３１が連続的または点在状に施されている。装飾部３１は全体でストーリー性あるいは時系列的な事象を表していることが効果的である。
図示する例では、装飾部３１として、図８（ａ）〜（ｄ）のように、大小の魚や亀などの水中生物が移動していく様子や、イルカと共に移動するダイバーなどが順次表され、終端部分にダイバーの絵柄に、伝えたいメッセージたとえばこの例では「楽しい夏をすごしてね」の文言が表されている。
【００１６】
前記帯状装飾片３の基材は不透明であってもよいし、透明（半透明を含む）であってもよい。この実施例では後者の態様としており、透明な合成樹脂フィルム３０に前記装飾部３１を多色で施して構成されている。
【００１７】
前記帯状装飾片３は、前記カード本体１に内蔵された状態で移動（スライド）が可能であれば構造に限定はないが、動画的にある程度の移動距離を確保することと、カード本体１内への組み込みを容易にすることなどから、エンドレスベルト状（エンドレススクリーン状）とするか、ターンなしのベルトとすることが好ましい。この例では前者を採用し、装飾部３１を施した帯状装飾片３の前後端を接合して輪体としている。
【００１８】
そして、前記帯状装飾片３を開口２の領域で直線状をなしてスムーズに移動させるため、帯状装飾片３をカード本体内でガイド手段４により支えている。この実施例では、ガイド手段４は左右一対の軸状体４０、４０からなっており、各軸状体４０、４０はエンドレスベルトのターン部に相当する前記カード本体１の横幅方向内端部に位置されている。軸状体４０、４０はこの例では帯状装飾片３とともに回転する構成としており、このために、軸状体４０の上下端部がカード本体１の上下部分に設けられている軸受手段４１，４１により回転自由に支持されている。
【００１９】
前記軸状体の材質は問わないが、軽量化のために紙や合成樹脂で構成されていることが好ましい。前記軸状部の形状も問わないが、帯状装飾片３の移動をスムーズにするために、円柱状または円筒状が好ましい。
軸受手段４１，４１は紙片などを一側開口の溝状にして所要部分をカード本体内面に接着したものであってよく、この例では軸状体と帯状装飾片３とのユニットを容易に組付けできるようにすべく、軸状体４０を遊嵌状に外囲する外軸受方式としているが、これに代えて、軸状体に内嵌する内軸受としてもよい。
なお、前記軸状体４０が固定軸である場合には、軸状体４０をカード本体内面に接着固定すればよい。この場合の軸状体４０は半周程度に曲率面を有していればよいので、真円や長円を割円したブロック状断面などをなしていてもよい。
【００２０】
そして、前記軸状体４０、４０間での帯状装飾片３のたわみを抑制するために、開口２と対峙するカード本体内に帯状装飾片３の内面に接近するように背部側と正面側のガイド部材６、６´を配しており、上下方向の少なくともいずれかの端部が側面部に固定されている。
背部側ガイド部材６はこの例では背景手段も兼ねさせるため面板状とされ、表面に装飾部６０が印刷的手法などで施されている。こうした構成により奥行き感ないし立体感を現出することができ、移動に伴って後側のベルト平行部分がガイド部材６の背後に回って装飾部３１が隠されるので、メッセージが何かを隠しておくことができ、意外性を高めることができる。前記装飾部６０は帯状装飾片３の装飾部３１と関連する装飾が好ましく、この例では、海底の様子と海底から上の水中と遠方の水中生物群があらわされている。正面側のガイド部材６´は開口の両側に配されている。
【００２１】
前記帯状装飾片３のカード本体１内での移動操作は、開口２に直接手指を挿入して帯状装飾片３を押圧しつつ左右にずらして送る形式としてもよいが、開口２の十分な視認が妨げられる点であまり好ましくないので、この実施例では、カード本体１に専用の移動操作窓５を設けている。
前記移動操作窓５は開口２から離間した位置に設けられる。閉鎖輪郭をなしていてもよいが、この例では、カード本体側端領域とりわけ帯状装飾片３のターン部分に相当する部位に、カード本体１の表面部１ａと側面部１および背面部１ｃに跨るような切欠部として構成しており、帯状装飾部３の前面と後面の両ターン部分（軸状体が内挿されている）が露出されている。
この構成によれは、親指と人差し指で帯状装飾片３の前後面両方のターン部分を挟んで繰り出し送り操作を行えるので、帯状装飾片３の移動を容易・確実に行える利点がある。
なお、移動操作窓５はカード本体１の片側だけでなく、図６のように、両側にそれぞれ形成してもよいことは言うまでもない。
【００２２】
前記ガイド部材６は、帯状装飾片３が腰の強い性状である場合には省略することができる。この場合でかつ帯状装飾片３が透明性基材からなっているときには、背景形成手段兼カード本体補強手段としてカード本体１の背面部内面に貼り付けられていてもよい。この態様においては、帯状装飾片３の前後のベルト平行部分に施されている装飾部３１が開口２から視認され、さらにその背後に背景形成手段兼カード本体後面部補強手段としての部材６に描かれている装飾部６０が同時に視認されるので、装飾部３１の表現法によって３重の奥行きのある情景を創成することができる。あるいはまた、背景形成手段はエンドレスベルトの平行部の中間に設けられてもよい。
【実施例２】
【００２３】
図９は本考案の第２実施例を示している。
この実施例においては、ガイド手段４が軸ではなくたわみ防止効果のある平行ガイド面４２０を有する偏平状の盤４２からなり、エンドレスベルト状の帯状装飾片３の前後の平行部の間に位置し、少なくとも上下の一方がカード本体１の上下面部１ｂ、１ｂに固定され、帯状装飾片３のみが摺動されるようになっている。
偏平状の盤はカード本体１の側面部付近に到る幅を有しており、帯状装飾片３をずらし送りするときの抵抗を少なくするため、偏平状の盤は端部が曲面とされるとともに、全体の表面の摩擦係数が小さく構成されている。そして、カード本体１の側部には、帯状装飾片３のずらし操作のための移動操作窓５が設けられている。
偏平状の盤４２はガイド兼芯材としても機能するのでカードが丈夫になり、また、盤表面に背景用装飾６０を施すことで帯状装飾片３が透明である場合の適切な背景機能も果たすことができる。
【００２４】
本考案のカードの組立て法は任意であるが、たとえば、側面部と背面部で上面が開放状の箱を作り、これの内部に軸受手段を取り付け、図８のような別途作成した帯状装飾片３とガイド手段４のユニットを前記開放箱に装填し、前面部片を貼着することで簡単に作成される。本考案のカードは全体が偏平であるからそのまま郵便や宅急便(登録商標)などで配送することができる。
【００２５】
実施例の作用を説明すると、カード本体１内に内蔵されている帯状装飾片３は開口２から露出しており、静止した装飾部３１を視認して楽しむことができる。この状態で、親指や人差し指を移動操作窓５に位置させ、ここに露出されている帯状装飾片３のターン部表面を押圧しながらずらせば、ターン部内のガイド手段４たとえば軸状体が回転すると共に帯状装飾片３が軸状体にガイドされつつターンするので、帯状装飾片３は確実かつスムーズにスライドしてゆく。なお、ガイド手段４が非回転タイプである場合には、露出している帯状装飾片３の表面を押圧しながら指の平らな部分を左右のいずれかに動かすことにより帯状装飾片３だけが移動する。
【００２６】
帯状装飾片３には多数の装飾部３１が一連に施されているため、開口２には次々と異なる装飾部３１があらわれかつ回転方向の下流では隠れてゆく。したがって、あたかも映画のように情景の変化を連続的に視認することができる。図８（ａ）〜（ｄ）はこの例を示しており、帯状装飾片３の移動により水中で魚や亀などが遊泳している情景の装飾部３１ａが現れ、それに続いてイルカとそれをウオッチしているダイバーたちを表した装飾部３１ｂが現れ、さらにそのダイバーの一人が手を振りつつ近づく情景を表した装飾部３１ｃがあらわれ、最後にメッセージを掲げてクローズアップしている装飾部３１ｄがあらわれる。この状態でさらに帯状装飾片３を移動させれば、メッセージ装飾部３１ｄがフェードアウトし、再び水中の情景に戻ることになり、したがって、あたかも映画を見ているような楽しさを味わうことができる。
【００２７】
前記帯状装飾片３が透明なフィルムからなっている場合には、装飾部以外のフィルム部分を通してガイド部材（背景形成手段兼カード本体補強手段である場合を含む）６の装飾部６０が視認されるので、帯状装飾片３が連続して移動することにより、奥行きのある立体的な画像を視認可能となる。
【００２８】
図示するものは本考案の数例であり、これに限定されることなく種々の変更を含むものである。
１)実施例は暑中見舞いであるが、クリスマスカードなど種々のグリーティングカードに適用される。たとえばクリスマスカードにおいては、トナカイに乗ったサンタクロースがある家にたどり着くまで天空を飛翔している様子を描いたりすればよい。
２)開口２は前面だけでなく後面側にも設けてもよい。こうすれば正面側と背面側にいる２人で動画的メッセージを同時に楽しむことができる。
【００２９】
３）帯状装飾片３はエンドレス状ベルトである場合に限らず、巻き付きスクリーンタイプとしてもよい。たとえば、前記左右の軸状体にそれぞれ帯状装飾片３の端部を固着し、軸状体を同じ方向に回転させることで、軸状体の一方から帯状装飾片を繰り出し、他方の軸状体に巻き付く構成としてもよい。
４）開口２には透明フィルムのカバーを付してもよいし、開口部分に開閉扉片を枢着してもよい。
５）各装飾部は蛍光塗料や夜光塗料を使用して暗所でも見ることができるようにしてもよい。あるいは、カード本体内にライトを配して点灯あるいは点滅させるようにしてもよい。さらに、音響手段を配して帯状装飾片３の移動と共に音声を発するようにしてもよい。
【図面の簡単な説明】
【００３０】
【図１】本考案によるグリーティングカードの第１実施例を正面面側から見た斜視図である。
【図２】本考案によるグリーティングカードの第１実施例を背面側から見た斜視図である。
【図３】図１のＩＩＩ−ＩＩＩ線に沿う断面図である。
【図４】図１のＩＶ−ＩＶ線に沿う断面図である。
【図５】第１実施例の部分切欠正面図である。
【図６】第１実施例の別の態様を示す正面図である。
【図７】第１実施例の帯状装飾片ユニットを示す斜視図である。
【図８】（ａ）〜（ｄ）は帯状装飾片の移動に伴い視認される装飾部の変化を示す部分的正面図である。
【図９】本考案の第２実施例を示す部分切欠斜視図である。
【符号の説明】
【００３１】
１  カード本体
２  開口
３  帯状装飾片
４  ガイド手段
５  操作用窓
６  ガイド部材（背景形成手段兼カード本体補強手段）
３１  装飾部
４０  軸状体
４２  偏平状の盤
【図１】
0003119930.tif 000003
【図２】
0003119930.tif 000004
【図３】
0003119930.tif 000005
【図４】
0003119930.tif 000006
【図５】
0003119930.tif 000007
【図６】
0003119930.tif 000008
【図７】
0003119930.tif 000009
【図８】
0003119930.tif 000010
【図９】
0003119930.tif 000011